(57)【要約】【課題】温水を連続的に出水した場合であっても、温かい状態の飲料を安定して出水することができる飲料供給装置を提供する。【解決手段】飲料供給装置１は、給水ノズルから出水する温水を貯留するとともに、給水ノズルから出水された温水に応じた水が補充される温水タンク４１と、温水タンク４１に貯留される温水を加熱するヒーター４０と、温水タンク４１に貯留される温水温度を検知する温水温度センサー４２と、温水温度センサー４２によって検知される温水温度に基づいて、ヒーター４０を加熱状態と停止状態とで切替制御する制御部８１を備えている。そして、制御部８１は、温水タンク４１の温水が給水ノズルから出水されている間は、温水タンク４１内の温水が給水ノズルから出水されていない間と比べて、加熱状態と停止状態との切替間隔を短く制御している。【選択図】図２
2020050397.tif 000002
【特許請求の範囲】
【請求項１】
給水ノズルから飲料を出水する飲料供給装置において、
前記給水ノズルから出水する飲料を貯留するとともに、前記給水ノズルから出水された飲料に応じた飲料が補充される飲料タンクと、
前記飲料タンクに貯留される飲料の温度を調節する温度調節部と、
前記飲料タンクに貯留される飲料の温度を検知する温度検知部と、
前記温度検知部によって検知される飲料の温度に基づいて、前記温度調節部を動作状態と停止状態とで切替制御する制御部と、を有し、
前記制御部は、
前記飲料タンクの飲料が前記給水ノズルから出水されている間は、前記飲料タンクの飲料が前記給水ノズルから出水されていない間と比べて、前記動作状態と前記停止状態との切替間隔を短く制御する
飲料供給装置。
【請求項２】
前記制御部は、前記切替制御に関する動作モードとして、
通常動作モードと、
前記飲料タンクの飲料が前記給水ノズルから出水されている間に、前記通常動作モードとともに併用される出水動作モードと、を有し、
前記通常動作モードは、第１の時間間隔で、前記動作状態と前記停止状態とが切替可能なモードであり、
前記出水動作モードは、前記第１の時間間隔よりも短い第２の時間間隔で、前記動作状態と前記停止状態とが切替可能なモードである
請求項１記載の飲料供給装置。
【請求項３】
前記飲料タンクは、温められた飲料を貯留する温水タンクであり、
前記温度調節部は、前記動作状態に相当する加熱状態と前記停止状態とが切替可能に構成され、前記温水タンクに貯留される飲料を加熱する加熱部である
請求項２記載の飲料供給装置。
【請求項４】
前記通常動作モードは、
所定の制御周期で検知される飲料の温度が上限温度以上となる状態が、ｎ回（ｎ：２以上の自然数）連続して検知された場合に、前記停止状態へと切り替え、当該飲料の温度が前記上限温度よりも低い温度である下限温度以下となる状態が、ｎ回連続して検知された場合に、前記加熱状態へと切り替える
請求項３記載の飲料供給装置。
【請求項５】
前記出水動作モードは、
所定の制御周期で検知される飲料の温度が前記上限温度以上となった場合に、前記停止状態へと切り替え、当該飲料の温度が前記上限温度よりも低くなった場合に、前記加熱状態へと切り替える
請求項４記載の飲料供給装置。
【請求項６】
前記上限温度よりも高い温度状態まで飲料の温度を昇温させる加熱機能を有し、
前記出水動作モードは、
前記加熱機能によって飲料の温度が前記上限温度よりも高い温度状態である場合、前記上限温度に代えて、当該上限温度よりも高い温度である加熱終了温度に基づいて、前記停止状態と前記加熱状態とを切り替える
請求項５記載の飲料供給装置。
【請求項７】
冷却機構によって冷却された飲料を貯留する冷水タンクをさらに有し、
前記温水タンクは、前記給水ノズルから出水された飲料に応じた飲料が、前記冷水タンクから補充される
請求項３から５のいずれかに記載の飲料供給装置。
【請求項８】
前記飲料タンクは、冷却された飲料を貯留する冷水タンクであり、
前記温度調節部は、前記動作状態に相当する冷却状態と前記停止状態とが切替可能に構成され、前記冷水タンクに貯留される飲料を冷却する冷却機構である
請求項２記載の飲料供給装置。
【発明の詳細な説明】
【技術分野】
【０００１】
本発明は、飲料供給装置に関する。
【背景技術】
【０００２】
飲料ボトルに貯留された水を給水ノズルから供給するウォーターサーバーが、従来より提案されている。ウォーターサーバーが備える機能の一つに、温水を供給（出水）する温水機能がある（例えば特許文献１，２参照）。
【０００３】
ウォーターサーバーは、温水を貯留する温水タンクと、温水タンクの水を加熱するヒーターと、ヒーターを制御する制御部とを有している。制御部は、所定の制御周期で温水の温度検知を行い、ヒーターの加熱状態と停止状態とを切替制御することで、温水タンクの水（温水）を一定の温度に保っている。一方、利用者が所定の出水操作を行うことで、温水タンクの温水が給水ノズルから出水される。給水ノズルを介して温水タンクの温水が出水されると、出水された温水に応じた水が温水タンクに補充される。
【先行技術文献】
【特許文献】
【０００４】
【特許文献１】特開２０１７−１５４８１３号公報
【特許文献２】特開２０１５−１７１９１４号公報
【発明の概要】
【発明が解決しようとする課題】
【０００５】
しかしながら、温水が連続的に出水された場合には、温水タンクに温度の低い水が大量に補充されるため、温水タンクの温水温度が急激に低下してしまう。ヒーターの切替制御では、一時的な温度変動によって加熱状態と停止状態とが頻繁に切り替わることを抑制するために、温度変化が一定時間に亘って継続した場合に、加熱状態と停止状態とを切り替えることとしている。このため、温水の出水に伴い温水タンクの温水温度が低下しても、ヒーターを加熱状態へと切り替えるまでに時差が発生し、温水温度の低下を抑えることができない。この場合、利用者の希望する温水を給水ノズルから出水することができないという問題がある。
【０００６】
本発明はかかる事情に鑑みてなされたものであり、その目的は、飲料を連続的に出水した場合であっても、所望の温度状態の飲料を安定して出水することができる飲料供給装置を提供することである。
【課題を解決するための手段】
【０００７】
かかる課題を解決するために、本発明は、給水ノズルから飲料を出水する飲料供給装置を提供する。この飲料供給装置は、給水ノズルから出水する飲料を貯留するとともに、給水ノズルから出水された飲料に応じた飲料が補充される飲料タンクと、飲料タンクに貯留される飲料の温度を調節する温度調節部と、飲料タンクに貯留される飲料の温度を検知する温度検知部と、温度検知部によって検知される飲料の温度に基づいて、温度調節部を動作状態と停止状態とで切替制御する制御部と、を有している。そして、制御部は、飲料タンクの飲料が給水ノズルから出水されている間は、飲料タンクの飲料が給水ノズルから出水されていない間と比べて、動作状態と停止状態との切替間隔を短く制御する。
【０００８】
ここで、本発明において、制御部は、切替制御に関する動作モードとして、通常動作モードと、飲料タンクの飲料が給水ノズルから出水されている間に、通常動作モードとともに併用される出水動作モードと、を有していることが好ましい。この場合、通常動作モードは、第１の時間間隔で、動作状態と停止状態とが切替可能なモードであり、出水動作モードは、第１の時間間隔よりも短い第２の時間間隔で、加熱状態と停止状態とが切替可能なモードであることが望ましい。
【０００９】
この場合、飲料タンクは、温められた飲料を貯留する温水タンクであり、温度調節部は、動作状態に相当する加熱状態と停止状態とが切替可能に構成され、温水タンクに貯留される飲料を加熱する加熱部であることが好ましい。
【００１０】
また、本発明において、通常動作モードは、所定の制御周期で温度検知部によって飲料の温度を検知することが好ましい。そして、飲料の温度が上限温度以上となる状態が、ｎ回（ｎ：２以上の自然数）連続して検知された場合に、停止状態へと切り替え、飲料の温度が上限温度よりも低い温度である下限温度以下となる状態が、ｎ回連続して検知された場合に、加熱状態へと切り替えることが望ましい。
【００１１】
また、本発明において、出水動作モードは、所定の制御周期で検知される飲料の温度が上限温度以上となった場合に、停止状態へと切り替え、当該飲料の温度が上限温度よりも低くなった場合に、加熱状態へと切り替えることが好ましい。
【００１２】
また、本発明の飲料供給装置は、上限温度よりも高い温度状態まで飲料の温度を昇温させる加熱機能を有していることが好ましい。この場合、出水動作モードは、加熱機能によって飲料の温度が上限温度よりも高い温度状態である場合、上限温度に代えて、当該上限温度よりも高い温度である加熱終了温度に基づいて、停止状態と加熱状態とを切り替えることが望ましい。
【００１３】
さらに、本発明の飲料供給装置は、冷却機構によって冷却される飲料を貯留する冷水タンクをさらに有することが好ましい。この場合、温水タンクは、給水ノズルから出水された飲料に応じた飲料が、冷水タンクから補充されることが望ましい。
【００１４】
また、本発明において、飲料タンクは、冷却された飲料を貯留する冷水タンクであり、温度調節部は、動作状態に相当する冷却状態と停止状態とが切替可能に構成され、冷水タンクに貯留される飲料を冷却する冷却機構であることが好ましい。
【発明の効果】
【００１５】
本発明の飲料供給装置によれば、飲料を連続的に出水した場合であっても、所望の温度状態の飲料を安定して出水することができる。
【図面の簡単な説明】
【００１６】
【図１】本実施形態に係る飲料供給装置の外観を示す斜視図
【図２】本実施形態に係る飲料供給装置のシステム構成を示すブロック図
【図３】本実施形態に係る飲料供給装置の動作を示すフローチャート
【図４】温水の温度状態と判定温度との関係を示す説明図
【図５】通常動作モードによる温度判定処理の詳細を示すフローチャート
【図６】出水動作モードによる温度判定処理の詳細を示すフローチャート
【図７】温水出水時における温水温度の推移を示す説明図
【発明を実施するための形態】
【００１７】
以下、本実施形態に係る飲料供給装置１について説明する。ここで、図１は、本実施形態に係る飲料供給装置１の外観を示す斜視図である。また、図２は、本実施形態に係る飲料供給装置１のシステム構成を示すブロック図である。
【００１８】
本実施形態に係る飲料供給装置１は、飲料ボトル５から取り入れた水を給水ノズル２０から供給（出水）するウォーターサーバーである。飲料供給装置１は、装置本体である筐体１０と、給水ノズル２０と、操作パネル３０とを備えている。
【００１９】
筐体１０の内部には、温水が貯留される温水タンク（飲料タンクの一例）４１、冷水が貯留される冷水タンク（飲料タンクの一例）４６、及び各種の配管（図示せず）が設けられている。飲料ボトル５から筐体１０の内部へと取り入れられた水は、配管を介して、冷水タンク４６へと供給される。冷水タンク４６内の水（冷水）は、冷却機構４５（温度調節部の一例）により冷却される。冷却機構４５がオンされると、当該冷却機構４５は冷却状態（動作状態）となり、冷却機構４５がオフされると、当該冷却機構４５は停止状態、すなわち、非冷却状態となる。温水タンク４１は、冷水タンク４６と接続されており、冷水タンク４６の水が、配管を介して、温水タンク４１へと供給される。すなわち、温水タンク４１への水の供給は、飲料ボトル５から直接行われるのではなく、冷水タンク４６から行われる。温水タンク４１内の水（温水）は、加熱部（温度調節部の一例）であるヒーター４０により加熱される。ヒーター４０がオンされると、当該ヒーター４０は加熱状態（動作状態）となり、ヒーター４０がオフされると、当該ヒーター４０は停止状態、すなわち、非加熱状態となる。
【００２０】
各種の配管により、温水タンク４１内の温水、冷水タンク４６内の冷水又は飲料ボトル５から取り入れられた水（常温水）が給水ノズル２０へと供給される。そして、給水ノズル２０から、温水、冷水又は常温水が出水される。給水ノズル２０から冷水の出水が行われると、消費（出水）に応じた水が飲料ボトル５から冷水タンク４６へと供給される。また、給水ノズル２０から温水の出水が行われると、消費（出水）に応じた冷水が冷水タンク４６から温水タンク４１へと供給される。同時に、温水タンク４１へ供給された分の水が飲料ボトル５から冷水タンク４６へと供給される。
【００２１】
筐体１０の正面（前面）１０ａの中央部には、所要の大きさを備える筐体開口１０ａ１が設けられている。筐体開口１０ａ１には、化粧パネル１１が配設されている。
【００２２】
化粧パネル１１の上部には、膨出部１２が設けられている。膨出部１２は、上側から下側にかけて筐体１０の手前側に向かって傾斜する面形状として構成されている。膨出部１２の表面には、操作パネル３０が配設されている。
【００２３】
また、膨出部１２よりも下側には、上側から下側にかけて筐体１０の奥側に向かって傾斜する傾斜壁部１３と、当該傾斜壁部１３の下側に連設されて、上下方向に延在する縦壁部１４とが設けられている。傾斜壁部１３と、縦壁部１４と、筐体１０をなす左右の側面１０ｂ，１０ｃとにより、給水ノズル２０から出水される水を受けるための給水空間Ｓが形成される。
【００２４】
給水空間Ｓの下端には、コップ等の容器を載置したり、容器から溢れた水を受け止めたりするためのドリップトレイ１５が配置されている。飲料供給装置１の使用時には、ドリップトレイ１５上の所定位置に容器を置き、操作パネル３０に対して所定の出水操作を行う。出水操作に応じて給水ノズル２０から水が出水されると、この水をドリップトレイ１５上の容器で受けることができる。また、容器を手に持ったまま、給水スイッチ３５を押し込む出水操作を行う。この出水操作に応じて給水ノズル２０から水が出水されると、この水を手に持った容器で受けることができる。
【００２５】
筐体１０の上部には、ボトル載置部１６が設けられている。ボトル載置部１６には、水が貯留された飲料ボトル５を載置することができる。ボトル載置部１６に載置された飲料ボトル５内の水は、装置周囲の温度に応じた常温となる。
【００２６】
給水ノズル２０は、冷水、温水又は常温水を出水するためのものである。傾斜壁部１３には開口部が設けられており、この開口部には、先端部が下向きに突き出すように、給水ノズル２０が配置されている。給水ノズル２０の周囲は、保護カバー２１により覆われている。給水ノズル２０は、筐体１０内に収容された配管の最下流に接続されている。もっとも、給水ノズル２０は、配管の一部を流用することも可能である。
【００２７】
操作パネル３０は、膨出部１２の表面に配設されている。操作パネル３０は、飲料供給装置１に対する利用者の操作を受け付けたり、飲料供給装置１に関する情報を表示したりする。利用者は、操作パネル３０に対して操作を行うことで飲料供給装置１が備える複数の機能の中から所望の機能を選択したり、選択した機能を実行したりすることができる。また、利用者は、操作パネル３０上の情報を視認することで、飲料供給装置１が備える機能を認識したり、現在どの機能が選択されているかを認識したりすることができる。
【００２８】
飲料供給装置１が備える機能としては、冷水機能、温水機能、常温水機能、加熱機能等が挙げられる。操作パネル３０を操作して、冷水機能を選択、決定することで、冷水を出水する冷水機能が実行される。これにより、給水ノズル２０から冷水が出水される。温水機能及び常温水機能も同様で、操作パネル３０を操作して、温水機能又は常温水機能を選択、決定することで、温水又は常温水を出水する温水機能又は常温水機能が実行される。これにより、給水ノズル２０から温水又は常温水が出水される。さらに、操作パネル３０を操作して、加熱機能を選択、決定することで、温水タンク４１の温水を加熱する加熱機能が実行される。加熱機能が実行されると、例えば通常は８０℃程度の温水タンク４１の温水を９０℃以上に昇温させる処理が実施される。
【００２９】
さらに、飲料供給装置１は、温水温度センサー４２と、冷水温度センサー４７と、電磁弁６０と、音声出力部７０と、制御装置８０とを備えている。
【００３０】
温水温度センサー４２は、温水タンク４１の温水温度を検知する温度検知部である。温水温度センサー４２は、例えばサーミスタ等を用いて温度を測定するセンサーである。
【００３１】
冷水温度センサー４７は、冷水タンク４６の冷水温度を検知する温度検知部である。冷水温度センサー４７は、例えばサーミスタ等を用いて温度を測定するセンサーである。
【００３２】
電磁弁６０は、給水ノズル２０からの水の出水を制御する。電磁弁６０は、開弁状態において給水ノズル２０からの水の出水を許可し、閉弁状態において給水ノズル２０からの水の出水を停止する。この電磁弁６０は、冷水タンク４６からの冷水の出水を制御する冷水電磁弁と、温水タンク４１からの温水の出水を制御する温水電磁弁と、常温水の出水を制御する常温水電磁弁とを含んでいる。
【００３３】
音声出力部７０は、筐体１０の周囲に所定の音声を出力するものであり、スピーカー及び音声ＩＣ等を備えている。音声出力部７０により、飲料供給装置１に関する各種の音声、警報音等が出力される。
【００３４】
制御装置８０は、飲料供給装置１の制御を行う。制御装置８０は、制御部８１及び記憶部８２を有している。
【００３５】
制御部８１は、飲料供給装置１内の各種構成を統括的に制御するものであり、ＣＰＵ等のプロセッサを備えている。制御部８１は、操作パネル３０への操作内容、並びに、温水温度センサー４２及び冷水温度センサー４７及び装置周辺の温度・湿度を検出する温湿度センサー（図示せず）を含む各種センサーからのセンサー信号等に基づいて、操作パネル３０の表示内容、ヒーター４０、冷却機構４５、電磁弁６０及び音声出力部７０を制御する。制御部８１の制御により、（１）温水タンク４１内の温水を所定の温度に調整したり、（２）冷水タンク４６内の冷水を所定の温度に調整したり、（３）冷水、温水及び常温水のいずれかを給水ノズル２０から出水したりすることができる。
【００３６】
記憶部８２は、各種のデータ及びプログラムを記憶するものであり、ＲＯＭ、フラッシュメモリ等を備えている。
【００３７】
本実施形態との関係において、制御部８１は、温水温度センサー４２によって検知される温水温度に基づいて、ヒーター４０を加熱状態と停止状態とで切替制御する。制御部８１は、この切替制御に関する動作モードとして、通常動作モードと、温水タンク４１の温水が給水ノズル２０から出水されている間に、通常動作モードとともに併用される出水動作モードと、を有している。通常動作モードは、第１の時間間隔（例えば１０秒間隔）で、加熱状態と停止状態とが切替可能なモードであり、出水動作モードは、第１の時間よりも短い第２の時間間隔（例えば１秒間隔）で、加熱状態と停止状態とが切替可能なモードである。換言すれば、制御部８１は、温水タンク４１の温水が給水ノズル２０から出水されている間は、温水タンク４１の温水が給水ノズル２０から出水されていない間と比べて、加熱状態と停止状態との切替間隔を短く制御している。
【００３８】
次に、本実施形態に係る飲料供給装置１の動作について説明する。図３は、本実施形態に係る飲料供給装置１の動作を示すフローチャートである。このフローチャートは、温水タンク４１の温水温度を管理するための処理を示しており、制御部８１により所定の制御周期（例えば１秒）で実行される。また、図４は、温水温度の温度状態と判定温度との関係を示す説明図である。
【００３９】
まず、ステップＳ１において、制御部８１は、温水温度センサー４２を用いて、温水タンク４１の温水温度を検知する。
【００４０】
ステップＳ２において、通常動作モードによる温度判定処理を行う。ここで、図５は、通常動作モードによる温度判定処理の詳細を示すフローチャートである。
【００４１】
まず、ステップＳ２０において、制御部８１は、ヒーター４０がオン状態であるか、すなわち、ヒーター４０が加熱状態であるか否かを判断する。ヒーター４０がオン状態である場合には、ステップＳ２０において肯定判定され、ステップＳ２１に進む。一方、ヒーター４０がオフ状態である場合には、ステップＳ２０において否定判定され、ステップＳ２４に進む。
【００４２】
ステップＳ２１において、制御部８１は、温水温度が温水上限温度ＴＣ以上であるか否かを判断する。温水上限温度ＴＣは、温水機能により出水される温水を管理するための上限温度である。温水温度が温水上限温度ＴＣ以上である場合には、ステップＳ２１において肯定判定され、ステップＳ２２に進む。一方、温水温度が温水上限温度ＴＣよりも低い場合には、ステップＳ２１において否定判定され、本ルーチンを抜ける。
【００４３】
ステップＳ２２において、制御部８１は、温水温度が温水上限温度ＴＣ以上となる状態が、ｎ回（ｎ：２以上の自然数）、例えば１０回連続して検知されたか否かを判断する。温水上限温度ＴＣ以上の状態が１０回連続している場合には、ステップＳ２２において肯定判定され、ステップＳ２３に進む。一方、温水上限温度ＴＣ以上の状態が１０回連続していない場合には、ステップＳ２２において否定判定され、本ルーチンを抜ける。
【００４４】
ステップＳ２３において、制御部８１は、通常動作モードにおけるヒーター４０の動作状態（通常動作状態）を「停止状態」に指定する。
【００４５】
一方、ステップＳ２４において、制御部８１は、温水温度が温水下限温度ＴＤ以下であるか否かを判断する。温水下限温度ＴＤは、温水機能により出水される温水を管理するための下限温度である。温水温度が温水下限温度ＴＤ以下である場合には、ステップＳ２４において肯定判定され、ステップＳ２５に進む。一方、温水温度が温水下限温度ＴＤよりも高い場合には、ステップＳ２４において否定判定され、本ルーチンを抜ける。
【００４６】
ステップＳ２５において、制御部８１は、温水温度が温水下限温度ＴＤ以下となる状態が、ｎ回（ｎ：２以上の自然数）、例えば１０回連続して検知されたか否かを判断する。温水下限温度ＴＤ以下の状態が１０回連続している場合には、ステップＳ２５において肯定判定され、ステップＳ２６に進む。一方、温水下限温度ＴＤ以下の状態が１０回連続していない場合には、ステップＳ２５において否定判定され、本ルーチンを抜ける。
【００４７】
ステップＳ２６において、制御部８１は、通常動作モードにおけるヒーター４０の動作状態（通常動作状態）を「加熱状態」に指定する。
【００４８】
ステップＳ３において、制御部８１は、出水動作モードによる温度判定処理を行う。ここで、図６は、出水動作モードによる温度判定処理の詳細を示すフローチャートである。
【００４９】
まず、ステップＳ３０において、制御部８１は、温水が出水中であるか否かを判断する。温水が出水中であることは、操作パネル３０に対して温水出水の操作が行われていること、或いは、温水電磁弁が開弁状態にあることにより、判断することができる。温水が出水中である場合には、ステップＳ３０において肯定判定され、ステップＳ３１に進む。一方、温水が出水中でない場合には、ステップＳ３０において否定判定され、ステップＳ３８に進む。
【００５０】
ステップＳ３１において、制御部８１は、温水温度が、後述する温度状態ＳＡであるか否かを判断する。温水温度が温度状態ＳＡである場合には、ステップＳ３１において肯定判定され、ステップＳ３２に進む。一方、温水温度が温度状態ＳＡではない場合には、ステップＳ３１において否定判定され、ステップＳ３５に進む。
【００５１】
図４に示すように、制御部８１は、温水の温度状態を、温度状態ＳＡ又は温度状態ＳＢとして判定している。ここで、温度状態ＳＡは、温水機能において用いる温水の温度状態である。一方、温度状態ＳＢは、加熱機能において用いる温水の温度状態であり、温度状態ＳＡよりも高い温度域に設定されている。制御部８１は、温水の温度状態が温度状態ＳＡと判定されている状態において、温水温度が判定温度ＴＢ以上となった場合に、温水の温度状態を温度状態ＳＢと仮決定する。一方、制御部８１は、温水の温度状態が温度状態ＳＢと判定されている状態において、温水温度が温水上限温度ＴＣよりも低くなった場合に、温水の温度状態を温度状態ＳＡと仮決定する。温度状態ＳＡ，ＳＢの判定は、所定の制御周期（例えば１秒）で実行され、例えば１０回連続で同一の温度状態ＳＡ，ＳＢが仮決定されると、その温度状態ＳＡ，ＳＢが温水の温度状態として最終的に判定（決定）される。
【００５２】
ステップＳ３２において、制御部８１は、温水温度が温水上限温度ＴＣよりも低いか否かを判断する。温水温度が温水上限温度ＴＣよりも低い場合には、ステップＳ３２において肯定判定され、ステップＳ３３に進む。一方、温水温度が温水上限温度ＴＣ以上の場合には、ステップＳ３２において否定判定され、ステップＳ３４に進む。
【００５３】
ステップＳ３３において、制御部８１は、出水動作モードにおけるヒーター４０の動作状態（出水動作状態）を「加熱状態」に指定する。
【００５４】
ステップＳ３４において、制御部８１は、出水動作モードにおけるヒーター４０の動作状態（出水動作状態）を「停止状態」に指定する。
【００５５】
ステップＳ３５において、制御部８１は、温水温度が加熱終了温度ＴＡよりも低いか否かを判断する。加熱終了温度ＴＡは、加熱機能により加熱した温水について加熱終了を判定するための温度である。温水温度が加熱終了温度ＴＡよりも低い場合には、ステップＳ３５において肯定判定され、ステップＳ３６に進む。一方、温水温度が加熱終了温度ＴＡ以上の場合には、ステップＳ３５において否定判定され、ステップＳ３７に進む。
【００５６】
ステップＳ３６において、制御部８１は、出水動作モードにおけるヒーター４０の動作状態（出水動作状態）を「加熱状態」に指定する。
【００５７】
ステップＳ３７において、制御部８１は、出水動作モードにおけるヒーター４０の動作状態（出水動作状態）を「停止状態」に指定する。
【００５８】
ステップＳ３８において、制御部８１は、出水動作モードにおけるヒーター４０の動作状態（出水動作状態）を「停止状態」に指定する。
【００５９】
ステップＳ４において、制御部８１は、通常動作状態及び出水動作状態のいずれか又は両方が「加熱状態」であるか否かを判断する。通常動作状態及び出水動作状態のいずれか又は両方が「加熱状態」である場合には、ステップＳ４において肯定判定され、ステップＳ５に進む。通常動作状態及び出水動作状態の両方が「停止状態」である場合には、ステップＳ４において否定判定され、ステップＳ６に進む。
【００６０】
ステップＳ５において、制御部８１は、ヒーター４０をオンし、ヒーター４０を加熱状態に設定する。
【００６１】
ステップＳ６において、制御部８１は、ヒーター４０をオフし、ヒーター４０を停止状態に設定する。
【００６２】
このように本実施形態に係る飲料供給装置１は、温水温度センサー４２によって検知される温水温度に基づいて、ヒーター４０を加熱状態と停止状態とで切替制御する制御部８１を備えている。そして、制御部８１は、温水タンク４１の温水が給水ノズル２０から出水されている間は、温水タンク４１内の温水が給水ノズル２０から出水されていない間と比べて、加熱状態と停止状態との切替間隔を短く制御している。
【００６３】
具体的には、制御部８１は、切替制御に関する動作モードとして、通常動作モードと、温水タンク４１内の飲料が給水ノズル２０から出水されている間に、通常動作モードとともに併用される出水動作モードと、を有している。この場合、通常動作モードは、第１の時間間隔（本実施形態では１０秒）で、加熱状態と停止状態とが切替可能なモードである。一方、出水動作モードは、第１の時間間隔よりも短い第２の時間間隔（本実施形態では１秒）で、加熱状態と停止状態とが切替可能なモードである。
【００６４】
本実施形態によれば、温水タンク４１の温水が給水ノズル２０から出水されている間、加熱状態と停止状態とを短期間で切り替えることができる。これにより、温水タンク４１に水が補充されて、その温水温度が低下するような場合であっても、ヒーター４０を加熱状態へと早期に切り替えることができる。そのため、温水を連続的に使用した場合であっても、温水タンク４１内の温水温度が急激に低下するといった事態を抑制することができる。その結果、利用者の希望する温水を給水ノズル２０から適切に出水することができる。
【００６５】
また、本実施形態において、通常動作モードは、所定の制御周期（例えば１秒）で温水温度センサー４２から温水温度を検知する。そして、温水温度が温水上限温度ＴＣ以上となる状態が、１０回連続して検知された場合に、ヒーター４０が停止状態へと切り替えられ、温水温度が温水下限温度ＴＤ（ＴＤ＜ＴＣ）以下となる状態が、１０回連続して検知された場合に、ヒーター４０が加熱状態へと切り替えられる。
【００６６】
一方、出水動作モードは、所定の制御周期で温水温度センサー４２から飲料の温度を検知する。そして、温水温度が温水上限温度ＴＣ以上となった場合に、ヒーター４０が停止状態へと切り替えられ、温水温度が温水上限温度ＴＣよりも低くなった場合に、ヒーター４０が加熱状態へと切り替えられる。
【００６７】
ここで、図７は、温水出水時における温水温度の推移を示す説明図である。同図において、（ａ）は、通常動作モードのみを利用した際のヒーター４０のオンオフの状態を示すタイミングチャートであり、対応する温水温度の軌跡が破線で描かれている。また、（ｂ）は、出水動作モードを併用した際のヒーター４０のオンオフの状態を示すタイミングチャートであり、対応する温水温度の軌跡が実線で描かれている。
【００６８】
この構成によれば、通常動作モードでは、判定温度（温水上限温度ＴＣ又は温水下限温度ＴＤ）に対する温水温度の変化が１０回連続していなければ、ヒーター４０が切り替わらない。すなわち、通常動作モードでは、１０回連続して温水温度を検知する時間間隔（第１の時間間隔）で、加熱状態と停止状態とが切替可能となる。一方で、出水動作モードでは、判定温度（温水上限温度ＴＣ）に対する温水温度が１回でも変化すれば、ヒーター４０が切り替わる。すなわち、出水動作モードでは、温水温度を１回検知する時間間隔（第２の時間間隔）で、加熱状態と停止状態とが切替可能となる。
【００６９】
したがって、温水タンク４１の温水が給水ノズル２０から出水されている場合には、加熱状態と停止状態とを短期間で切り替えることができる。これにより、温水タンク４１に水が補充されて、その温水温度が低下するような場合であっても、ヒーター４０を加熱状態へと早期に切り替えることができる。そのため、温水を連続的に使用した場合であっても、温水タンク４１内の温水温度が急激に低下してしまうといった事態を抑制することができる。その結果、利用者の希望する温水を給水ノズル２０から適切に出水することができる。
【００７０】
また、本実施形態において、飲料供給装置１は、温水上限温度ＴＣよりも高い温度状態まで温水温度を昇温させる加熱機能を有している。出水動作モードは、加熱機能によって温水温度が温水上限温度ＴＣよりも高い温度状態である場合、温水上限温度ＴＣに代えて、この温水上限温度ＴＣよりも高い温度である加熱終了温度ＴＡに基づいて、停止状態と加熱状態とを切り替えている。
【００７１】
この構成によれば、加熱機能を利用して温水温度を通常の保温温度よりも昇温させている場合には、温水上限温度ＴＣよりも高い温度である加熱終了温度ＴＡに基づいて、停止状態と加熱状態とを切り替えている。このため、より高い温度をベースに停止状態と加熱状態とを切り替えることができるので、加熱温水に対する温度低下を抑制することができる。
【００７２】
また、本実施形態に係る飲料供給装置１は、冷却機構４５によって冷却される冷水を貯留する冷水タンク４６をさらに有している。そして、温水タンク４１は、給水ノズル２０から出水された温水に応じた水が、冷水タンク４６から補充される。
【００７３】
この構成によれば、温水タンク４１に対して冷水が補充されるので、温水が使用された際に、温水タンク４１の温水温度が低下し易い傾向にある。しかしながら、本実施形態の構成によれば、温水タンク４１内の温水温度が急激に低下してしまうといった事態を抑制することができる。その結果、利用者の希望する温水を給水ノズル２０から適切に出水することができる。
【００７４】
なお、本実施形態では、温水タンク４１に関する温度制御について説明した。しかしながら、冷水が連続的に出水された場合には、冷水タンク４６に常温の水が大量に補充されるため、冷水タンク４６の冷水温度が上昇してしまう。この場合であっても、利用者の希望する冷水を給水ノズル２０から出水することができないという問題が、温水タンク４１と同様に発生する。したがって、本実施形態に係る手法を、温水タンク４１のみならず、冷水タンク４６に適用してもよい。
【００７５】
以上、実施形態に基づき本発明を説明したが、本発明は上記実施形態に限られるものではなく、本発明の趣旨を逸脱しない範囲で、変更を加えてもよい。
【００７６】
例えば、本実施形態に係る飲料供給装置は、飲料ボトルからの水を供給するウォーターサーバーである。しかしながら、本発明は、ウォーターサーバーに限らず、水以外の清涼飲料水、コーヒー、お茶等の他の種類の飲料を供給するものであってもよいし、複数種の飲料を供給するものであってもよい。
【００７７】
また、本実施形態に係る飲料供給装置は、筐体の上部に飲料ボトルが載置されるものであるが、これに限らず、筐体の内部の下部等に飲料ボトルを収容するタイプのものであってもよい。
【００７８】
また、本実施形態では、冷水、温水及び常温水の３種類を出水する装置について説明した。しかしながら、飲料供給装置は、少なくとも温水を出水するものであればよい。
【符号の説明】
【００７９】
１          飲料供給装置
５          飲料ボトル
１０        筐体
１０ａ      正面
１０ａ１    筐体開口
１０ｂ      側面
１０ｃ      側面
１１        化粧パネル
１２        膨出部
１３        傾斜壁部
１４        縦壁部
１５        ドリップトレイ
１６        ボトル載置部
２０        給水ノズル
２１        保護カバー
３０        操作パネル
３５        給水スイッチ
４０        ヒーター
４１        温水タンク
４２        温水温度センサー
４５        冷却機構
４６        冷水タンク
４７        冷水温度センサー
６０        電磁弁
７０        音声出力部
８０        制御装置
８１        制御部
８２        記憶部
Ｓ          給水空間
【図１】
2020050397.tif 000003
【図２】
2020050397.tif 000004
【図３】
2020050397.tif 000005
【図４】
2020050397.tif 000006
【図５】
2020050397.tif 000007
【図６】
2020050397.tif 000008
【図７】
2020050397.tif 000009